(57)【要約】【課題】鋼管杭回転圧入装置を容易に鉛直状態または傾斜状態で支持でき、施工が簡単になる傾斜調整可能な架台およびその架台を備えた斜杭施工装置および施工方法の提供。【解決手段】回転圧入鋼管杭１を地盤３に傾斜した状態で回転圧入するために使用され、かつ鋼管杭回転圧入装置２を傾斜調整可能に支持するために使用される斜杭施工用架台であって、架台本体に、伸縮式ジャッキを有する複数の伸縮式脚部７を前後方向および左右方向に間隔をおいて備えていると共に、架台本体の中央部に鋼管杭挿通孔を備えている傾斜調整可能な斜杭施工用架台。前記の斜杭施工用架台５上に鋼管杭回転圧入装置２が設置されている斜杭施工装置。その斜杭施工装置を使用して斜杭施工用架台５を傾斜状態として回転圧入鋼管杭１を傾斜した状態で地盤３に回転させながら圧入する。【選択図】  図１
2004257044.tif 000002
【特許請求の範囲】
【請求項１】
回転圧入鋼管杭（１）を地盤（３）に傾斜した状態で回転圧入するために使用され、かつ鋼管杭回転圧入装置（２）を傾斜調整可能に支持するために使用される斜杭施工用架台であって、架台本体（２０）に、伸縮式ジャッキ（１２）を有する複数の伸縮式脚部（７）を前後方向および左右方向に間隔をおいて備えていると共に、架台本体（２０）の中央部に鋼管杭挿通孔（９）を備えていることを特徴とする傾斜調整可能な斜杭施工用架台。
【請求項２】
斜杭施工用架台５の上面に、前後方向および左右方向に間隔をおいて、鋼管杭回転圧入装置２の下部に係合させるための複数の係合部１５が設けられていることを特徴とする請求項２に記載の斜杭施工用架台。
【請求項３】
請求項１または２の傾斜調整可能な斜杭施工用架台（５）上に鋼管杭回転圧入装置（２）が設置されていることを特徴とする斜杭施工装置。
【請求項４】
斜杭施工用架台（５）の上面に、前後方向および左右方向に間隔をおいて、鋼管杭回転圧入装置（２）の下部に係合させるための複数の係合部（１５）が設けられていることを特徴とする請求項３に記載の斜杭施工装置。
【請求項５】
地盤（３）上に配置された鋼管杭挿通孔（９）を有する座板（１８）上に、請求項１または２の斜杭施工用架台（５）の下部が係合載置され、かつ斜杭施工用架台（５）上に鋼管杭回転圧入装置（２）の下部が係合載置されていることを特徴とする請求項４に記載の斜杭施工装置。
【請求項６】
請求項３〜５のいずれかに記載の斜杭施工装置を使用して、回転圧入鋼管杭（１）を鋼管杭回転圧入装置（２）により把持した後、斜杭施工用架台（５）における各伸縮式脚部（７）を伸縮調整して、斜杭施工用架台（５）を傾斜状態とすることにより、鋼管杭回転圧入装置（２）を傾斜した状態にすると共に、鋼管杭回転圧入装置（２）に把持された回転圧入用鋼管杭（１）を傾斜した状態に保持し、次いで鋼管杭回転圧入装置（２）を駆動して回転圧入鋼管杭（１）を傾斜した状態で地盤（３）に回転させながら圧入することを特徴とする斜杭の施工方法。
【発明の詳細な説明】
【０００１】
【発明の属する技術分野】
本発明は、鉄塔，道路，橋梁等の構造物あるいは建築物等の構造物を支持するために地盤に圧入される回転圧入鋼管杭からなる斜杭を施工するための傾斜調整可能な斜杭施工用架台およびその架台を備えた斜杭の施工装置ならびに回転圧入鋼管杭を用いた斜杭の施工方法に関する。
【０００２】
【従来の技術】
従来、全旋回オールケーシング掘削機などの鋼管杭回転圧入装置を使用して、鋼管杭を回転させながら地盤に直角に圧入施工することは、一般に行なわれていると共に、特許文献１（特開平２００２−１６７７６０号公報）にも記載されているように知られているが、鋼管杭を地盤に対して傾斜した状態で、回転させながら圧入することは知られていない。
特に、鋼管杭の周側面に螺旋状羽根または翼を有する回転圧入用鋼管杭については、回転圧入用鋼管杭を傾斜した状態で、地盤に回転圧入施工することは、行なわれていない。
【０００３】
【特許文献１】
特開平２００２−１６７７６０号公報
【０００４】
【発明が解決しようとする課題】
傾斜した状態で回転圧入用鋼管杭を全旋回オールケーシング掘削機等の鋼管杭回転圧入装置にセットすることが困難であるという問題があると共に、回転圧入用鋼管杭を地盤に対して傾斜した状態で保持しながら地盤に圧入するためには、鋼管杭回転圧入装置を傾斜した状態で支持する装置が必要である等の問題がある。また、施工を容易にするための簡単な構造の傾斜調整可能な斜杭施工用架台の出現が望まれている。
【０００５】
本発明者は、前記の問題に対して、種々熟考した結果、複数のジャッキを備え、傾斜角度調整可能な架台を介して鋼管杭回転圧入装置を支持することにより、鋼管杭回転圧入装置を容易に鉛直状態または傾斜状態で支持でき、施工が簡単になる点、および回転圧入用鋼管杭を全旋回オールケーシング掘削機等の鋼管杭回転圧入装置にセットした後、鋼管杭回転圧入装置を傾斜した状態で支持することにより、容易に回転圧入用鋼管杭を地盤に対して傾斜した状態で回転圧入することができることを知見し、本発明を完成させた。
【０００６】
本発明は、鋼管杭を地盤（または水平面）に対して傾斜した状態で、回転させながら圧入施工することが可能な斜杭の施工方法およびその施工装置ならびに傾斜調整可能な斜杭施工用架台を提供することを目的とする。
【０００７】
【課題を解決するための手段】
前記問題点を解決するため、請求項１の傾斜調整可能な斜杭施工用架台においては、回転圧入鋼管杭１を地盤３に傾斜した状態で回転圧入するために使用され、かつ鋼管杭回転圧入装置２を傾斜調整可能に支持するために使用される斜杭施工用架台であって、架台本体２０に、伸縮式ジャッキ１２を有する複数の伸縮式脚部７を前後方向および左右方向に間隔をおいて備えていると共に、架台本体２０の中央部に鋼管杭挿通孔９を備えていることを特徴とする。
【０００８】
また、請求項２の発明においては、請求項１に記載の斜杭施工用架台において、斜杭施工用架台５の上面に、前後方向および左右方向に間隔をおいて、鋼管杭回転圧入装置２の下部に係合させるための複数の係合部１５が設けられていることを特徴とする。
【０００９】
さらに、請求項３の斜杭施工装置においては、請求項１または２の傾斜調整可能な斜杭施工用架台５上に鋼管杭回転圧入装置２が設置されていることを特徴とする。
【００１０】
さらにまた、請求項４の発明においては、請求項３に記載の斜杭施工装置において、斜杭施工用架台５の上面に、前後方向および左右方向に間隔をおいて、鋼管杭回転圧入装置２の下部に係合させるための複数の係合部１５が設けられていることを特徴とする。
【００１１】
なおまた、請求項５の発明においては、請求項４に記載の斜杭施工装置において、地盤３上に配置された鋼管杭挿通孔９を有する座板１８上に、請求項１または２の斜杭施工用架台５の下部が係合載置され、かつ斜杭施工用架台５上に鋼管杭回転圧入装置２の下部が係合載置されていることを特徴とする。
【００１２】
また、請求項６の斜杭の施工方法においては、請求項３〜５のいずれかに記載の斜杭施工装置を使用して、回転圧入鋼管杭１を鋼管杭回転圧入装置２により把持した後、斜杭施工用架台５における各伸縮式脚部７を伸縮調整して、斜杭施工用架台５を傾斜状態とすることにより、鋼管杭回転圧入装置２を傾斜した状態にすると共に、鋼管杭回転圧入装置２に把持された回転圧入用鋼管杭１を傾斜した状態に保持し、次いで鋼管杭回転圧入装置２を駆動して回転圧入鋼管杭１を傾斜した状態で地盤３に回転させながら圧入することを特徴とする。
【００１３】
【発明の実施の形態】
以下、本発明の一実施形態を図面を参照しながら具体的に説明する。
先ず、本発明の施工方法において使用する一実施形態の傾斜調整可能な斜杭施工用架台について、図７および図８を参照しながら説明する。図７および図８は、本発明の傾斜調整可能な斜杭施工用架台５を示すものであって、図７は平面図であり、図８は側面図である。
【００１４】
図７に示すように、平面矩形状等の鋼製架台本体２０およびその本体２０における鋼製上面板２３の中央部には、上下方向に貫通する鋼管杭挿通用透孔９が設けられていると共に、前記鋼製上面板２３の４隅部近傍には、上面板２３の周囲に沿って、前後方向に間隔をおくと共に、左右方向に間隔をおいて、鋼板製の横方向のずれ止め部材２４が溶接等により固着されている。
【００１５】
この横方向のずれ止め部材２４は、全旋回オールケーシング掘削機などにおける鋼管杭回転圧入装置２の脚座２５の横方向のずれ止めを図り、また、図７に２点鎖線で示すように、前記脚座２５が載置された後、その上動または横方向のずれ止めを図るために、前記脚座２５の上面に一辺（上部）が近接するようにＬ形鋼板からなる後付けのずれ止め部材２６の他片（下部）を上面板２３に溶接等により固着する。
【００１６】
前記架台本体２０の前後の側面部には、左右方向に間隔をおいて液圧式等の複数（図示の場合は４つ）の伸縮式ジャッキ１２が配置されていると共に、各ジャッキ１２におけるケーシング１３側がボルト等により架台本体２０に固定されている。前記の伸縮式ジャッキ１２の配置位置は、その中心軸線が、鋼管杭回転圧入装置２の各脚部の配置位置よりも、前後方向および左右方向において外側に位置するようにすると、鋼管杭回転圧入装置２を載置し、架台５を傾斜状態としても安定性がよい。
【００１７】
前記各伸縮式ジャッキ１２は、架台本体２０の左右方向の取り付け間隔が大きくなるので、架台本体２０を適宜の角度に設定する上で、ジャッキストロ−クの大きくとれるジャッキ、例えば油圧伸縮式ジャッキを使用するとよい。
【００１８】
また、前記伸縮式ジャッキ１２におけるピストン杆１２ｂの先端部は、半球状部１２ｃが一体に設けられ、前記半球状部１２ｃには、ほぼ半球状受け面１２ｄを有する鋼製脚座１２ｅが回動可能に取り付けられている。
【００１９】
前記伸縮式ジャッキ１２と、前記脚座１２ｅとにより、傾斜調整可能な架台側のアウトリガー１２ａ等の伸縮式脚部７が構成されている。
【００２０】
この実施形態では、前記各伸縮式ジャッキ１２の伸長量または短縮量を調整することにより、斜杭施工用架台５を適宜の傾斜角度に設定することができる。
【００２１】
前記上面板２３とずれ止め部材２４により支持部８が構成され、これに後付けのずれ止め２６により、傾斜調整可能な斜杭施工用架台５側の係合部１５が構成されている。
【００２２】
前記傾斜調整可能な斜杭施工用架台５の傾斜角は、施工条件にもよるが、２５度以下で、適宜設定するとよい。
【００２３】
次に、図１および図２では詳細な図示を省略するが（詳細は図６参照）、鋼製座板本体１８ａの４隅部にも、前記係合部１５の構成と同様に、ずれ止め部材（図示を省略するが、前記符号２４に相当する部材）を予め固定し、また後付けずれ止め部材２６を固定して構成される係合部１５ａを備えていると共に、座板本体１８ａの中央部に、杭挿通孔１８ｂが設けられて構成されている座板１８が地盤３に設置され、前記傾斜調整可能な斜杭施工用架台５の脚座１２ｅは、座板１８側のずれ止め部材の内側に配置された状態で載置され、後付けずれ止め部材２６が座板１８に固定されて、係合部１５ａに係合された状態で座板１８に設置される。
【００２４】
次に、前記の傾斜調整可能な斜杭施工用架台５を使用して、回転圧入用鋼管杭１を傾斜した状態で、地盤３に回転圧入する場合について、図１および図２を参照しながら、その施工方法および施工装置（一例としての全旋回オールケーシング掘削機２の構造説明は後記する。）と共に説明する。
【００２５】
まず、適宜クローラクレーン等のクレーン６を使用して、地盤３上に、前記座板１８を配置する。そして、図１（ａ）に示すように、座板１８上面における４隅のずれ止め部材の内側に、それぞれ傾斜調整可能な架台５側の脚座１２ｅが位置するように、本発明の傾斜調整可能な斜杭施工用架台５を載置すると共に、斜杭施工用架台５における脚座１２ｅの上面に、後付けずれ止め部材２６における一辺（上部側）が近接するように配置すると共に、前記後付けずれ止め部材２６における他辺を座板１８に溶接等により固定して、前記脚座１２ｅを係合部１５ａに係合させる。
【００２６】
なお、前記実施形態の係合部１５ａにおいては、斜杭施工用架台５におけるアウトリガー１２ａを伸縮して斜杭施工用架台５を傾斜させる場合、すなわち伸縮式ジャッキ１２におけるケーシング１３側が固定される形態であるため、左右方向のいずれか一方の半球状部１２ｃを中心として架台５が傾斜した状態では、他方の伸縮式ジャッキ１２を伸長すると、他方の半球状部１２ｃは、外側に若干偏心するので、これに対応するため、前記のずれ止め部材と前記脚座１２ｅとの間、および後付けずれ止め部材２６における他辺と前記脚座１２ｅとの間には、若干の隙間を設けるようするとよく、後付けのずれ止め部材２６は架台５の傾斜調整後に座板１８に固定するようにしてもよい。
【００２７】
このように、斜杭施工用架台５におけるアウトリガー１２ａを伸縮して斜杭施工用架台５を傾斜させる場合に、アウトリガー１２ａの先端部が左右方向に若干変位するので、前記座板１８における係合部１５ａと斜杭施工用架台５における脚座１２ｅとの間には、横方向に若干の余裕を持たせるようにしておく。
【００２８】
このようして、座板１８上に、傾斜調整可能な斜杭施工用架台５を、各アウトリガー１２ａを伸縮作動していない状態で、座板１８上に設置する。
【００２９】
次いで、図７に示すように、この水平状態の傾斜調整可能な斜杭施工用架台５の上面における４隅近傍のずれ止め部材２４の内側に、それぞれ脚座２５が位置するように、全旋回オールケーシング掘削機からなる鋼管杭回転圧入装置２の各脚座２５を載置すると共に、鋼管杭回転圧入装置２の脚座２５のずれ止めを図るために、前記と同様に後付けのずれ止め部材２６を前記傾斜調整可能な斜杭施工用架台５の上面板２３に固定し、鋼管杭回転圧入装置２と傾斜調整可能な斜杭施工用架台５の係合を図る。
【００３０】
次いで、図１の（ｂ）に示すように、この状態の全旋回オールケーシング掘削機からなる鋼管杭回転圧入装置２に装着すべく、回転圧入用鋼管杭１をクレーン６により吊り下げ支持させると共に、図１の（ｃ）（および図  ）に示すように、下端部に螺旋状翼または螺旋状羽根１４等を有する回転圧入用鋼管杭１の下部を、前記鋼管杭回転圧入装置２にけるスパイラルカラー２７に、前記回転圧入用鋼管杭１を回転させながら降下させて、鋼管杭１の螺状羽根部分１４を通過させた後、鋼管杭１を鋼管杭回転圧入装置２におけるチャック２８により把持して保持する。なお、前記回転圧入用鋼管杭１はクレーン６における係止フックに条体２９を介して支持されている。
【００３１】
次いで、図２の（ｄ）に示すように、傾斜調整可能な斜杭施工用架台５における各伸縮式ジャッキ１２を伸縮駆動して、前記斜杭施工用架台５を所定角度の傾斜状態にする。これにより、鋼管杭回転圧入装置２および回転圧入用鋼管杭１は、地盤３または水平面に対して傾斜した状態に配置されることになる。
【００３２】
次いで、前記鋼管杭回転圧入装置２の一端側に、鋼製反力バー３０の一端部が横軸３１により連結され、鋼製反力バー３０の先端部をクレーン６の車体３２に係合させて、鋼管杭回転圧入装置２により回転圧入用鋼管杭１を回転させる時の回転反力を、前記クレーン６により受けるようにしている。
【００３３】
なお、鋼製反力バー３０の基端側が地盤面よりも下位レベルになる場合は、鋼製反力バー３０下面の地盤３を適宜掘り下げる。また、鋼製反力バー３０の先端部をクレーン６の車体３２に固定のブラッケト等に横軸により連結するようにしてもよい（図示を省略した。）。
【００３４】
この状態で、図２の（ｅ）に示すように、鋼管杭回転圧入装置２を駆動すると共に、回転圧入用鋼管杭１に、鋼管杭回転圧入装置２の上載荷重をかけながら地盤３に、回転圧入する。前記の上載荷重は、螺旋状羽根１４が地盤３に貫入させるために、上載荷重を付加する必要がある。また、鋼管杭回転圧入装置２における傾斜角度調整用ジャッキ３４を作用させて、鋼管杭回転圧入装置２の傾斜角度を調整することにより、回転圧入用鋼管杭１の傾斜角度を微修正または微調整することができる。
【００３５】
前記の上載荷重は、螺旋状羽根１４が地表面下に入るまで、羽根による推進力が生じないので、貫入初期には、鋼管杭回転圧入装置２の自重の上載荷重を必要とするが、貫入後では、地盤のＮ値にもよるが、全旋回オールケーシング掘削機等の鋼管杭回転圧入装置２のみの一定の上載荷重またはさらに荷重を付加して行なうこともできる。
【００３６】
なお、前記回転圧入用鋼管杭１を傾斜した状態で、回転圧入する場合、鋼管杭回転圧入装置２におけるジャッキ３４を伸縮調整して、回転圧入用鋼管杭１の傾斜貫入角度を調整するようにしてもよい。
【００３７】
鋼管杭回転圧入装置２により、一定の上載荷重を回転圧入用鋼管杭１に付加させながら、図２の（ｆ）に示すように、所定の深度まで、回転圧入用鋼管杭１を回転圧入させて、圧入を完了させる。なお、図示を省略するが、回転圧入用鋼管杭１の上端部に新たな鋼管を溶接等により固着して、所定の深度に達する回転圧入用鋼管杭を圧入するようにしてもよい。
【００３８】
なお、図２の（ｇ）に示すように、地盤３に圧入された回転圧入用鋼管杭１を引き抜く場合には、鋼管杭回転圧入装置２により、回転圧入用鋼管杭１を逆回転させながら、ジャッキ３８を伸長して引き抜き力を作用させると、回転圧入用鋼管杭１を容易に引き抜くことができる。
【００３９】
次に、前記の鋼管杭回転圧入装置（全旋回オールケーシング掘削機）２の一例の構造について、図６を参照しながら簡単に説明すると、矩形環状のベースフレーム３３の４隅部に、下部に脚座２５を有する油圧式等の角度調整用ジャッキ３４のシリンダ３５が固定され、前記ジャッキ３４の可動ピストン３６の先端部に球継手１９を介して脚座２５が取り付けられている。
【００４０】
また、前記ベースフレーム３３上に、昇降フレーム３７を昇降させるための複数（４本）の昇降ジャッキ３８が立設され、前記昇降ジャッキ３８を短縮することにより回転圧入用鋼管杭１を圧入するように構成されている。前記昇降フレーム３７の上部には、チャックカラー昇降ジャッキ３９が設けられている。また、昇降フレーム３７の下部内側には、ベアリング４０が設けられ、このベアリング４０を介して、上方が拡径した内周テーパ面４１が形成された回転体４２が設けられている。前記回転体４２の外周には、環状の外歯４３が設けられ、その外歯４３は中間歯車６３を介して、昇降フレーム３７に固定された回転体駆動用油圧モータ４４の駆動歯車４６に噛合している。
【００４１】
前記回転体４２の内方には、回転圧入鋼管杭１の鋼管部４７を把持して回転するチャックカラー２７が設けられている。チャックカラー２７には、カラー支持ブロック４８がボルト４８ａにより固着されており、カラー支持ブロック４８の外面には、これにクサビ機能を付与すべく、上方が拡径したテーパ面４９が形成されていて、このテーパ面４９を回転体４２の上部が拡径した内周テーパ面４１とスライド可能に接触させることで、クサビ機構５０を構成している。
【００４２】
チャックカラー２７には、図６に示すように、回転圧入鋼管杭１の螺旋翼１４と同ピッチの凹溝５１を形成してある。そして、鋼管杭回転圧入装置２の上方より回転圧入鋼管杭１を吊り降ろし、螺旋翼１４を凹溝５１に沿わせて、回転圧入鋼管杭１を回転させながら螺入することで螺旋翼１４をチャックカラー２７の部位を通過させ、その後、チャックカラー２７の先端の杭把持径調整治具５２と、これに設けた高摩擦材料により押圧把持して回転圧入する。
【００４３】
前記チャックカラー２７は、円周方向に等間隔で複数（例えば８ヶ所）配置されていている。チャックカラー２７は、立て長の箱型断面のチャック本体部５３と、このチャック本体部５３の前側板５４に、上下板と両側板からなる箱型断面のチャックブラッケット部５５を固着して構成される。チャックブラッケット部５５は、各チャックカラー２７毎に上下方向に位置をずらしながら所定の間隙を開けて上下に多段に設けることにより、円周方向に等間隔で設けた８個のチャックカラー２７の全体の間隙が連続することで、回転圧入鋼管杭１の螺旋翼１４と同ピッチの凹溝５１が構成される。
【００４４】
前記のように、斜杭施工用架台５を傾斜させて鋼管杭回転圧入装置２を傾斜させても、鋼管杭回転圧入装置２と傾斜調整可能な斜杭施工用架台５の係合状態は保持され、鋼管杭回転圧入装置２の回転反力は、鋼製反力バー３０からなる反力伝達部材１０を介して、クレーン６に伝達させることができる。
【００４５】
また、前記の鋼管杭回転圧入装置２の４隅に配置された角度調整用ジャッキ３４の伸縮量を調整することにより、鋼管杭回転圧入装置２の傾斜角度を適宜微調整することができ、さらに、前記ジャッキ３４の可動ピストン３６の先端部に、ほぼ球状部を有すると共に受け座がわに、半球状受け部を有する球継手１９を介して脚座２５が取り付けられているので、傾斜調整可能な斜杭施工用架台５に脚座２５を安定した状態で載置することができる。
【００４６】
前記のようにして、一本目の回転圧入用鋼管杭１を施工した後、これに新たな鋼管の下部を前記回転圧入用鋼管杭１の上端に溶接等により固着することにより、所定の長さの回転圧入用鋼管杭１からなる斜杭１６を施工するようにしてもよい。
【００４７】
回転圧入用鋼管杭１を所定の位置まで、回転圧入施工した後は、鋼管杭回転圧入装置２および傾斜調整可能な斜杭施工用架台５をそれぞれ、新たな施工場所に移動させて、前記と同様な手順により、回転圧入用鋼管杭１を回転圧入施工する。
【００４８】
前記実施形態の場合は、傾斜調整可能な斜杭施工用架台５を使用し、鋼管杭回転圧入装置２の下部脚座２５と、傾斜調整可能な斜杭施工用架台５の係合を、予め傾斜調整可能な斜杭施工用架台５に固定のずれ止め２４と、後付けのずれ止め部材２６により、鋼管杭回転圧入装置２の下部脚部２５が係止されて、鋼管杭回転圧入装置２の横移動および上動を防止するようにされているが、図９〜図１１次の実施形態の傾斜調整可能な斜杭施工用架台５のように、ピン６２を着脱することにより、鋼管杭回転圧入装置２の脚部を着脱可能に係合部１５に係合させることができるので、この形態について説明する。
【００４９】
図９〜図１１は、傾斜調整可能な斜杭施工用架台５の変形形態およびこれを使用した斜杭施工装置を示すものであって、この実施形態の斜杭施工用架台５では、ほぼ直方体状の架台本体２０の４隅部近傍に、座板５６および着脱自在なピン６２を備えた複数のずれ止め部材本体５７を同じ向きに設けて係合部１５が構成されている。その他の構成は、前記実施形態と同様であるので、同様な部分には、同様な符号を付して相違する部分について主に説明する。
【００５０】
架台本体２０の中央部には、鋼管杭挿通用透孔９を備えていると共に、架台本体２０における上面板２３の４隅部近傍付近には、係合部１５を形成するための鋼製円盤状の座板５６が溶接等により固定されている。
【００５１】
前記座板５６の上面に、半円状部を有する平面ほぼＵ字状で、断面がほぼＬ字状のずれ止め部材本体５７の脚部５８が溶接により固定され、前記脚部５８の上部に一体に内向きのフランジ５９が設けられている。
【００５２】
前記ずれ止め部材本体５７における半円状部の直径は、鋼管杭回転圧入装置２における脚部２５の直径より若干大きく設定され、また前記Ｕ字状部分の解放側の各先端部上面には、対向するように鋼製ブラケット６０が溶接により固定され、前記各ブラケット６０にピン挿通用透孔６１が設けられ、各ブラケット６０のピン挿通用透孔６１に渡って、着脱自在なピン６２が設けられて、着脱自在に係止可能な係合部１５が構成されている。
【００５３】
この架台５に鋼管杭回転圧入装置２における脚座２５を係止する場合には、前記ピン６２を外した状態で、脚座２５を載置した（なお、架台５または鋼管杭回転圧入装置２側を適宜、横移動させて係合させる）後、ピン６２を架設して行なう。前記ピン６２と脚部５８と上部フランジ５９により、鋼管杭回転圧入装置２における脚座２５の横方向移動および上動のずれ止めを図るようにしている。
【００５４】
また、前記傾斜調整可能な斜杭施工用架台５の脚座１２ｅは、矩形状鋼板からなる座板１８における係合部１５ａに着脱自在に係合されている。この実施形態の係合部１５ａは着脱可能な係合部であり、傾斜調整可能な斜杭施工用架台５側の着脱係止可能な係合部１５と同様な構成とされている。
【００５５】
すなわち、座板１８の４隅部近傍の上面に、前記と同様な座板５６が溶接により固定され、前記座板５６の上面に、半円状部を有する平面ほぼＵ字状で、断面がほぼＬ字状のずれ止め部材本体５７の脚部５８が溶接により固定され、前記脚部５８の上部に一体に内向きのフランジ５９が設けられている。
【００５６】
前記ずれ止め部材本体５７における半円状部の直径は、傾斜調整可能な斜杭施工用架台５における脚座１２ｅの直径より若干大きく設定され、また前記Ｕ字状部分の解放側の各先端部上面には、対向するように鋼製ブラケット６０が溶接により固定され、前記各ブラケット６０にピン挿通用透孔６１が設けられ、各ブラケット６０のピン挿通用透孔６１に渡って、着脱自在なピン６２が設けられて、着脱自在に係止可能な係合部１５ａが構成されている。
【００５７】
この座板１８に傾斜調整可能な斜杭施工用架台５における脚座１２ｅを係止する場合には、前記ピン６２を外した状態で、脚座１２ｅを載置した（なお、架台５または座板１８側を適宜、横移動させて係合させる）後、ピン６２を架設して行なう。前記ピン６２と脚部５８と上部フランジ５９により、斜杭施工用架台５における脚座１２ｅの若干の横方向移動を許容しながら、脚座１２ｅの横方向移動許容しながらの係合および上動のずれ止めを図るようにしている。
【００５８】
前記実施形態でも説明したように、この実施形態でも、伸縮式ジャッキ１２のケーシング１３を架台本体２０に固定する形態であるので、架台本体２０に固定されている左右方向の一方側の伸縮式ジャッキ１２側の下部を中心とし、左右方向他方側の伸縮式ジャッキ１２を伸長すると、前記他方の側の伸縮式ジャッキ１２の先端部が若干外側（左右方向の他方側）に偏心するようになるので、この偏心量を許容するように構成されている。
【００５９】
この架台５を使用して、鋼管杭回転圧入装置２を設置する場合には、図１０に示すように、地盤３上に載置された鋼製座板１８の左右の各ずれ止め部材内に位置するように、斜杭施工用架台５を前記座板１８に載置し、ピン６１を取外した状態で、斜杭施工用架台５の脚座１２ｅを座板１８側のずれ止め部材本体５７内に配置して載置し、ピン６１を装着して、斜杭施工用架台５と座板１８の係合を図り、また、鋼管杭回転圧入装置２の脚座２５を斜杭施工用架台５側のずれ止め部材本体５７内に配置して載置し、ピン６１を装着して、斜杭施工用架台５と鋼管杭回転圧入装置２の係合を図る。（図１０参照）
【００６０】
次いで、前記実施形態と同様に、図１，２に示すような手順により、全旋回オールケーシング掘削機からなる鋼管杭回転圧入装置２に回転圧入用鋼管杭１を建て込むと共に、鋼管杭回転圧入装置２により把持した後、斜杭施工用架台５を所定の傾斜角度に傾斜させて、鋼管杭回転圧入装置２を駆動して、回転圧入用鋼管杭１を傾斜した状態で地盤３に回転させながら圧入する。
【００６１】
前記実施形態の場合には、地盤３上の座板１８に傾斜調整可能な斜杭施工用架台５を載置するようにしているが、鋼板製の支持台上に傾斜調整可能な斜杭施工用架台５を載置するようにしてもよい。図４、７に示すずれ止め手段に代えて、図９以降に示す形態のずれ止め手段を採用するようにしてもよく、また、図９以降に示す形態のずれ止め手段に代えて、傾斜調整可能な斜杭施工用架台５に採用したずれ止め手段を採用するようにしてもよく、あるいは組み合わせてもよい。
【００６２】
前記実施形態の場合には、クサビ式の全旋回オールケーシング掘削機からなる鋼管杭回転圧入装置２を示したが、鋼管杭回転圧入装置２としては、バンド式に回転圧入用鋼管杭１を把持する鋼管杭回転圧入装置を使用するようにしてもよく、これ以外にも、他の適宜の鋼管杭回転圧入装置を使用するようにしてもよい。また、回転圧入用鋼管杭１についても同様に回転圧入用鋼管杭を使用するようにしてもよい。
【００６３】
なお、前記実施形態においては、傾斜した状態の斜杭を地盤に回転圧入施工する場合について説明したが、平版状の座板では対応できないような段差あるいは不陸の大きな地盤に対して、杭を鉛直状態または傾斜状態で施工する場合にも、本発明の斜杭施工用架台は使用することができる。このような場合には、各脚部ごとにその下端部に対応する座板を設置するようにすればよい。
【００６４】
【発明の効果】
本発明の請求項１の斜杭施工用架台によると、架台本体に、伸縮式ジャッキを有する複数の伸縮式脚部を前後方向および左右方向に間隔をおいて備えていると共に、架台本体の中央部に鋼管杭挿通孔を備えている簡単な構成であるので、容易に安価な斜杭施工用架台とすることができ、鋼管杭回転圧入装置を傾斜調整可能に支持して、斜杭の施工を容易にすることができる。
【００６５】
また、請求項２のように、斜杭施工用架台の上面に、前後方向および左右方向に間隔をおいて、鋼管杭回転圧入装置の下部に係合させるための複数の係合部が設けられていると、斜杭施工用架台上に鋼管杭回転圧入装置の下部を容易に係合させて設置することができ、鋼管杭回転圧入装置を安定した状態で支持することができる。
【００６６】
また、請求項３の斜杭施工装置によると、伸縮式ジャッキを有する複数の伸縮式脚部を備えていると共に、中央部に鋼管杭挿通孔を備えている傾斜調整可能な斜杭施工用架台上に鋼管杭回転圧入装置が設置されているので、斜杭施工用架台と鋼管杭回転圧入装置を組み合わせる簡単な構成の斜杭施工装置とすることができる。また特に、傾斜調整可能な斜杭施工用架台を使用しているので、斜杭施工用架台の上面を水平状態にして鋼管杭回転圧入装置の設置が容易であると共に、鋼管杭回転圧入装置を設置後に、単に斜杭施工用架台を傾斜状態とすることにより、鋼管杭回転圧入装置を容易に傾斜状態とすることができる。
【００６７】
また、請求項４のように、斜杭施工用架台５の上面に、前後方向および左右方向に間隔をおいて、鋼管杭回転圧入装置２の下部に係合させるための複数の係合部１５が設けられていると、斜杭施工用架台上に鋼管杭回転圧入装置の下部を容易に係合させて設置することができ、鋼管杭回転圧入装置を安定した状態で支持することができる。
【００６８】
また、請求項５のようにすると、斜杭施工用架台の下部と地盤上の座板との係合および斜杭施工用架台と鋼管杭回転圧入装置の下部との係合が容易であり、地盤上座板から鋼管杭回転圧入装置までの係合一体化が容易であり、このように一体化された装置によって支持される回転圧入用鋼管杭は安定性がよく、比較的精度よく、回転圧入鋼管杭を地盤に回転圧入あるいは回転引き抜くことができる。
【００６９】
また、請求項６の発明によると、従来困難であった回転圧入用鋼管杭を斜めに傾斜した状態で地盤に、容易に回転圧入することができるため、回転圧入用鋼管杭からなる斜杭を容易に施工することができる。また、全旋回オールケーシング掘削機等の鋼管杭回転圧入装置を使用しているので、この装置の利点である、低騒音，低振動の施工できる点の効果も得られる。
【００７０】
また特に本発明においては、伸縮式ジャッキを有する複数の伸縮式脚部を備えていると共に、中央部に鋼管杭挿通孔を備えている傾斜調整可能な斜杭施工用架台を使用しているので、斜杭施工用架台の上面を水平状態にして鋼管杭回転圧入装置を容易に斜杭施工用架台に設置することができると共に、斜杭施工用架台を容易に傾斜状態とすることができ、その斜杭施工用架台を介して鋼管杭回転圧入装置を容易に鉛直状態または傾斜状態で支持することができ、したがって、回転圧入用鋼管杭を地盤に対して容易に傾斜した状態で回転圧入することができ、施工が簡単になり、ひいては、杭施工の工期および施工コストを低減することができる。
【図面の簡単な説明】
【図１】（ａ）〜（ｃ）は本発明の斜杭の施工方法を実施して回転圧入用鋼管杭の施工手順を示す概略側面図である。
【図２】（ｄ）〜（ｆ）は図１の続きの手順を示す概略側面図であり、（ｈ）は回転圧入用鋼管杭を引き抜く場合の概略側面図である。
【図３】傾斜調整可能な斜杭施工用架台に全旋回オールケーシング掘削機からなる鋼管杭回転圧入装置を傾斜した状態で設置すると共に、反力バーを配設した状態を示す側面図である。
【図４】図５の一部を拡大して示す側面図である。
【図５】鋼管杭回転圧入装置に連結された鋼製反力バーの先端部をクレーンに係合させた状態を示す平面図である。
【図６】全旋回オールケーシング掘削機の概略構造およびこれを支持している傾斜調整可能な斜杭施工用架台を示す縦断側面図である。
【図７】傾斜調整可能な斜杭施工用架台を示す平面図である。
【図８】傾斜調整可能な斜杭施工用架台を示す側面図である。
【図９】他の形態の架台または座板に設けられる位置決め係止部を示す平面を示す図である。
【図１０】図９に示す位置決め係止部を有する傾斜調整可能な斜杭施工用架台または座板を使用して、座板上に斜杭施工用架台の下部を係合載置すると共に、斜杭施工用架台上に鋼管杭回転圧入装置を載置した後、斜杭施工用架台を傾斜させて、鋼管杭回転圧入装置を傾斜した状態にした側面図である。
【図１１】座板または傾斜調整可能な斜杭施工用架台に取り付けられる係止部を拡大して示す図であって、（ａ）は平面図であり、（ｂ）は側面図である。
【符号の説明】
１  回転圧入用鋼管杭
２  鋼管杭回転圧入装置
３  地盤
５  傾斜調整可能な斜杭施工用架台
６  クレーン
７  伸縮式脚部
８  支持部
９  鋼管杭挿通孔
１０  反力伝達部材
１１  斜杭
１２  伸縮式脚部
１２ａ  アウトリガー
１２ｂ  ピストン杆
１２ｃ  半球状部
１２ｄ  半球状受け面
１３  ケーシング
１３ａ  上面板
１４  螺旋状羽根（または螺旋状翼）
１５  係合部
１６  斜杭
１７  鋼製枕材
１８  座板
１８ａ  座板本体
１９  球継手
２０  架台本体
２３  上面板
２４  ずれ止め部材
２５  鋼管杭回転圧入装置の脚座
２６  後付けずれ止め部材
２７  スパイラルカラー
２８  チャック
２９  条体
３０  鋼製反力バー
３１  横軸
３２  車体
３３  ベースフレーム
３４  角度調整用ジャッキ
３５  シリンダ
３６  可動ピストン
３７  昇降フレーム
３８  昇降ジャッキ
３９  チャックカラー昇降ジャッキ
４０  ベアリング
４１  内周テーパ面
４２  回転体
４３  外歯
４４  回転体駆動用油圧モータ
４６  駆動歯車
４７  鋼管部
４８  カラー支持ブロック
４８ａ  ボルト
４９  テーパ面
５０  クサビ機構
５１  凹溝
５２  杭把持径調整治具
５３  チャック本体部
５４  前側板
５５  チャックブラケット部
５６  座板
５７  ずれ止め部材本体
５８  脚部
５９  内向きフランジ
６０  ブラケット
６１  ピン挿通用透孔
６２  ピン
６３  中間歯車
【図１】
2004257044.tif 000003
【図２】
2004257044.tif 000004
【図３】
2004257044.tif 000005
【図４】
2004257044.tif 000006
【図５】
2004257044.tif 000007
【図６】
2004257044.tif 000008
【図７】
2004257044.tif 000009
【図８】
2004257044.tif 000010
【図９】
2004257044.tif 000011
【図１０】
2004257044.tif 000012
【図１１】
2004257044.tif 000013